(57)【要約】【課題】薄型の効果を生かすために表示装置を壁にぴったりとつけて設置可能な表示装置を提供することを目的とする。【解決手段】載置台２を装着した表示装置１において、設置面から吸気が可能になるように載置台２の設置面に開口５を設け、表示装置には、吸気口９、ダクト８、及び排気口１０を設けた。これにより、載置台２の冷却を十分に行えるようにしつつ、表示装置１を壁にぴったりとつけて設置可能となる。【選択図】  図１
2009008742.tif 000002
【特許請求の範囲】
【請求項１】
載置台を装着した表示装置であって、
設置面から吸気が可能になるように前記載置台の設置面に開口を設け、
当該表示装置には、吸気口、ダクト、及び排気口を設けたことを特徴とする表示装置。
【請求項２】
前記ダクトを断熱材にしたことを特徴とする請求項１に記載の表示装置。
【請求項３】
前記載置台の設置面の開口の位置を右端又は左端にしたことを特徴とする請求項１又は２に記載の表示装置。
【発明の詳細な説明】
【技術分野】
【０００１】
本発明は、映像を表示する表示装置に関し、特に、背面投射型表示装置に装着した載置台の冷却に関する。
【背景技術】
【０００２】
図５は載置台を取り付けた従来の背面投射型表示装置を壁１１にぴったりとつけたときの側面図である。
【０００３】
図５においては、背面投射型表示装置２０内に光学エンジン２３等が収納され、光学エンジン２３からの映像が反射ミラー２４を介してスクリーン２５に投射される。従来の背面投射型表示装置２０は、斜入射の光学系を使用していないので、斜入射の光学系と比較すると光路２６が長くなるため、上部の筐体が後方に出ている。これにより、背面投射型表示装置２０においては、上部の筐体が後方に出ているので、載置台２１の後方は空間ができるため、載置台に置かれたビデオ等の電子機器２７の排気が後方にできる。つまり、載置台２１に置かれたビデオ等の電子機器の排気は２２の方向に行なっている。
【発明の開示】
【発明が解決しようとする課題】
【０００４】
設置スペースの少ない薄型の表示装置においては、表示装置を壁にぴったりとつけて設置することにより、薄型の効果をさらに生かすことができる。しかしながら、前述従来例のように背面排気する構造においては、背面に排気するスペースが必要で、表示装置を壁にぴったりとつけて設置することができなかった。
【０００５】
上述した問題の解決のために、本発明は、設置スペースの少ない薄型の表示装置において、薄型の効果を生かすために表示装置を壁にぴったりとつけて設置可能な表示装置を提供することを目的とする。
【課題を解決するための手段】
【０００６】
本発明の表示装置は、載置台を装着した表示装置であって、設置面から吸気が可能になるように前記載置台の設置面に開口を設け、当該表示装置には、吸気口、ダクト、及び排気口を設けたことを特徴とする。
【発明の効果】
【０００７】
本発明によれば、載置台を装着した表示装置であっても、壁にぴったりとつけて設置することができるようにして、薄型の効果を生かすようにすることができる。
具体的には、載置台を装着した表示装置において、設置面から排気が可能になるように載置台の設置面（上面部）に開口を設け、表示装置の吸気口からダクトを介して、表示装置の上部に排気することにより、表示装置を壁にぴったりと設置することができる。
また、表示装置の下部から上部に排気しているので、表示装置の側面の空間がないところにも設置することができる。
また、表示装置において、ダクトを断熱材にすることにより、載置台に置かれたビデオ等の電子機器の排気熱を筐体内に伝えることを防止する。
また、表示装置において、載置台の設置面（上面部）の開口の位置を右端又は左端に配置することにより、筐体内における光学部品の配置のデットスペースを利用することができる。
【発明を実施するための最良の形態】
【０００８】
以下、本発明の第１の実施の形態を図面に基づいて説明する。図１は本実施の形態に係る載置台を装着した薄型の背面投射型表示装置の構成を示す斜視図であり、図２は正面図及び上面図であり、図３は壁にぴったりとつけたときの側面図である。図４は光学部品の配置を説明するための側面図である。
【０００９】
図１、２及び３において、１は薄型の背面投射型表示装置、２は背面投射型表示装置１を装着するための台座である載置台である。３は背面投射型表示装置１に搭載した光学エンジン、４は背面投射型表示装置１の天面に取り付けられたミラーである。
【００１０】
５は排気をするための開口または孔があいている部分である。６は排気の方向を示す矢印であり、載置台２の空間を冷却するためのダクト８を介して背面投射型表示装置１の上部に排気していることを示している。７はＤＶＤなどの電子機器を収納する空間である。
【００１１】
８は載置台２から排出される空気を背面投射型表示装置１から排出するためのダクトであり、９は背面投射型表示装置の吸気口、１０は背面投射型表示装置の排気口である。１１は壁であり、１２は載置台２に置かれたビデオ等の電子機器、１３はスクリーン、１４は光路を示している。
【００１２】
図１及び４に示すように、背面投射型表示装置１内に光学エンジン３等が収納され、光学エンジン３からの映像が天井のミラー４を介してスクリーン１３に投射される。背面投射型表示装置１は斜入射の光学系を使用しているので、従来の光学系と比較すると光路１４が短くなり、奥行きが小さくなる。
【００１３】
一方、載置台２の方はビデオ等の電子機器１２の寸法は予め決まっているので奥行き寸法はこれ以上小さくすることはできない。
【００１４】
このような載置台２を装着した薄型の背面投射型表示装置１においては、載置台２内の熱せられた空気を載置台２に設けられた排気するための開口５から排気する。この際の自然対流により、背面投射型表示装置１に設けられた吸気口９に流れる。よって、ダクト８を通って吸気口９より上側に設けられた排気口１０からその熱せられた空気を排出することができる。
【００１５】
このように構成することにより、設置面から排気が可能になるように載置台２の設置面（上面部）に開口５を設け、背面投射型表示装置１の吸気口９からダクト８を介して、背面投射型表示装置１の上部に排気するようにする。これにより、載置台２の空間、ＤＶＤなどの電子機器を収納する空間７を冷却することが可能になる。
【００１６】
従って、載置台２を装着した場合にも、薄型の効果を生かすために、図３に示すように表示装置を壁にぴったりとつけて設置することができる。そして、表示装置の側面の空間がないところにも設置することができる。
【００１７】
また吸気口９を排気口１０より下側に設けたので、自然対流効果により、吸気した熱を効率よく排気することができる。
【００１８】
また、ダクト８を断熱材にすることにより、載置台に置かれたビデオ等の電子機器１２の排気熱を筐体内に伝えることを防止することができる。
【００１９】
また、図１及び４において、背面投射型表示装置１内における光学エンジン３、ミラー４、光路１４等の光学部品の配置されており、天井にあるミラー４の右端又は左端の三角コーナーにスペースがある。ここでは、左端の三角コーナー部に載置台２の排熱を排気するためのダクト８を配置している。このように、載置台２の設置面（上面部）に開口の位置を右端又は左端に配置することにより、筐体内における光学部品（光学エンジン３、ミラー４等）の配置のデットスペースを利用することができる。
【図面の簡単な説明】
【００２０】
【図１】本発明の実施の形態に係る薄型の背面投射型表示装置を示す斜視図である。
【図２】本発明の実施の形態に係る薄型の背面投射型表示装置を示す正面図及び上面図である。
【図３】本発明の実施の形態に係る薄型の背面投射型表示装置を示す側面図である。
【図４】本発明の実施の形態に係る薄型の背面投射型表示装置を示す側面図である。
【図５】従来例の背面投射型表示装置を示す側面図である。
【符号の説明】
【００２１】
１  薄型の背面投射型表示装置
２  載置台
３  光学エンジン
４  ミラー
５  開口
８  ダクト
９  吸気口
１０  排気口
１３  スクリーン
【図１】
2009008742.tif 000003
【図２】
2009008742.tif 000004
【図３】
2009008742.tif 000005
【図４】
2009008742.tif 000006
【図５】
2009008742.tif 000007